Podtech/llm-jp-corpus-v4-ja_patent huggingface dataset:
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
前面、後面、および光軸を有する多焦点レンズであり、
前記レンズの中心部にある中心光学ゾーンであって、前記レンズの前記前面から前記光軸にほぼ平行な方向に入射する光を集束して、前記光軸の２．５°の範囲内に第１の焦点を形成する中心光学ゾーンと、
前記中心光学ゾーンに隣接し前記中心光学ゾーンから半径方向外側に位置する周辺光学ゾーンであって、前記レンズの前記前面から前記光軸に平行でない方向に入射する光を集束して、前記光軸に対して２°〜１０°の範囲内に第２の焦点を形成する周辺光学ゾーンと
を備えた多焦点レンズであって、
前記周辺光学ゾーンの前記レンズの前記前面または前記後面のいずれかの曲率は、前記中心光学ゾーンの前記レンズの前記前面または前記後面の曲率よりそれぞれ少なくとも２ディオプタ急勾配であり、
前記第１の焦点と前記第２の焦点は重ならない、多焦点レンズ。
【請求項２】
前記中心光学ゾーンの前記前面の曲率は、前記周辺光学ゾーンの前記前面の曲率より少なくとも２ディオプタ急勾配である、請求項１に記載のレンズ。
【請求項３】
前記周辺光学ゾーンの前面の曲率は、半径方向内側ゾーンから半径方向外側ゾーンへと半径方向外側に向かって徐々に急勾配になり、前記半径方向内側ゾーンの前面の曲率は前記中心光学ゾーンの前記前面の曲率より少なくとも４ディオプタ急勾配であり、前記半径方向外側ゾーンの前記前面の曲率は前記中心光学ゾーンの前記前面の曲率より最大で１０ディオプタ急勾配である、請求項１または２に記載のレンズ。
【請求項４】
前記中心光学ゾーンの直径は、０．４ｍｍ〜０．６ｍｍである、請求項１に記載のレンズ。
【請求項５】
前記周辺光学ゾーンは、０．７５ｍｍ〜２．０ｍｍの環状直径で半径方向外側に延在する、請求項４に記載のレンズ。
【請求項６】
前記周辺光学ゾーンは、前記レンズの中心から０．８５ｍｍ〜１．８ｍｍの環状直径で半径方向外側に延在する、請求項４または５に記載のレンズ。
【請求項７】
前記中心光学ゾーンの前記前面の曲率は、所定のｅ値の非球面もしくは反転非球面カーブを有する前記周辺光学ゾーンの前記前面の曲率と合成する、請求項１〜６のうちのいずれか一項に記載のレンズ。
【請求項８】
前記中心光学ゾーンの前記前面の曲率は、ｅ値が−０．７〜−３．０ｅである非球面もしくは反転非球面カーブを有する前記周辺光学ゾーンの前記前面の曲率と合成し、前記曲率は半径方向外側に向かって徐々に急勾配になる、請求項１〜７のうちのいずれか一項に記載のレンズ。
【請求項９】
前記レンズは、眼鏡レンズ、コンタクトレンズ、および眼内レンズから成る群から選択される、請求項１〜８のうちのいずれか一項に記載のレンズ。
【請求項１０】
前記レンズはコンタクトレンズである、請求項９に記載のレンズ。
【請求項１１】
内側中間ゾーンに結合され前記内側中間ゾーンから半径方向外側に延在する外側中間ゾーンをさらに備え、前記外側中間ゾーンの前面の曲率は前記内側中間ゾーンの前面の曲率より１〜３０ディオプタ急勾配であるために、近視進行抑制のためのオルソーＫ治療ゾーンをシミュレートする急傾斜リッジを形成する、請求項７〜９のうちのいずれか一項に記載のレンズ。
【請求項１２】
前記レンズは、オルソケラトロジー用のコンタクトレンズであり、
前記レンズの０．４ｍｍ〜０．６ｍｍの直径を有する前記中心光学ゾーンの前記後面の中心ベースカーブと、
前記レンズの中心から３ｍｍ〜５ｍｍの環状直径を有する前記周辺光学ゾーンの前記後面の周辺ベースカーブであって、前記中心ベースカーブより２〜１０ディオプタ急勾配である周辺ベースカーブと
を含む、請求項１に記載のレンズ。
【請求項１３】
前記中心ベースカーブは、ｅ値が−０．８〜−３．５ｅである非球面もしくは反転非球面カーブを有する前記周辺ベースカーブと合成され、前記合成曲率は半径方向外側に向かって徐々に急勾配になる、請求項１２に記載のレンズ。
【請求項１４】
前記後面は、前記周辺光学ゾーンに結合され前記周辺光学ゾーンから半径方向外側に延在する内側接続ゾーンであり、前記周辺光学ゾーンより１〜１０ディオプタ平坦である曲率を有する内側接続ゾーンをさらに備える、請求項１３に記載のレンズ。
【請求項１５】
前記後面は、前記コンタクトレンズを角膜に押し付けるために、前記内側接続ゾーンに結合され前記内側接続ゾーンから半径方向外側に延在する外側接続ゾーンをさらに備える、請求項１４に記載のレンズ。
【請求項１６】
前記レンズは眼鏡レンズであって、前記中心光学ゾーンの直径は、１．３５ｍｍ〜１．７５ｍｍであり、前記周辺光学ゾーンは、前記レンズの中心から２．３ｍｍ〜６ｍｍの環状直径で半径方向外側に延在する、請求項９に記載のレンズ。
【請求項１７】
間欠性中心抑制を含む老視または近視の進行を治療するための請求項１のレンズの使用。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ガスサンプリング装置であって、
フィルタレセプタクルと、
前記フィルタレセプタクルに挿入可能なフィルタ体であって、前記フィルタ体の第１端において前記フィルタ体と一体で、ガス供給を受けるために取り外し可能アクセサリコネクタに接続可能なアクセサリレセプタクルと、前記第１端の反対側の前記フィルタ体の第２端を通って前記フィルタレセプタクルにフィルタ済ガスサンプルを供給するために前記ガス供給をフィルタするフィルタとを持つ、フィルタ体と
を有し、前記フィルタ体は、前記フィルタ体が前記フィルタレセプタクル内に完全に挿入される場合に前記アクセサリレセプタクルのみが前記フィルタレセプタクルから突出するように構成される、ガスサンプリング装置。
【請求項２】
前記フィルタレセプタクルが測定システム内に取り付けられ、前記測定システムの計器パネルを通して直接アクセス可能である、請求項１に記載の装置。
【請求項３】
前記フィルタレセプタクルがそれを通して前記フィルタ体が挿入可能な開口端を持ち、前記フィルタレセプタクルの開口端が前記計器パネル上に取り付けられるフランジを含む、請求項２に記載の装置。
【請求項４】
前記フィルタ体が、前記フィルタ体から前記フィルタ済ガスサンプルを出力する前記フィルタ体と一体の出口ポートをさらに有し、前記フィルタレセプタクルが、前記フィルタ体が前記フィルタレセプタクルに完全に挿入されるときに前記フィルタ済ガスサンプル受けるために前記出口ポートと接続可能な管コネクタを有する、請求項１に記載の装置。
【請求項５】
前記フィルタレセプタクルの内壁上の第１突起と、前記フィルタ体の側壁上の第２突起とを含むロック機構をさらに有し、前記フィルタレセプタクルに挿入される前記フィルタ体の回転により前記フィルタ体を前記フィルタレセプタクルにロックするように前記第１突起が前記第２突起と各々係合可能である、請求項１に記載の装置。
【請求項６】
ポンプ駆動信号を供給するために前記フィルタレセプタクルへの前記フィルタ体の挿入を検出するセンサをさらに有する、請求項１に記載の装置。
【請求項７】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記管コネクタが前記フィルタレセプタクルへの前記フィルタ体の挿入により移動可能であり、
前記センサが前記管コネクタの移動に応じて前記ポンプ駆動信号を供給する、
請求項６に記載の装置。
【請求項８】
ポンプ駆動信号を供給するために前記アクセサリレセプタクルへの前記アクセサリコネクタの挿入を検出するセンサをさらに有する、請求項１に記載の装置。
【請求項９】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記フィルタが前記管コネクタを移動するために前記アクセサリレセプタクルへの前記アクセサリコネクタの挿入により前記フィルタ体内をスライドし、
前記センサが前記管コネクタの移動に応じて前記ポンプ駆動信号を供給する、
請求項８に記載の装置。
【請求項１０】
呼吸回路と測定装置の間のサンプルラインに配置される、請求項１に記載の装置。
【請求項１１】
フロントパネルを含むハウジングであって、前記フィルタレセプタクルが、前記ハウジング内に取り付けられ、前記フロントパネルを通してアクセス可能である、ハウジングと、
前記フィルタ済ガスサンプルを分析のためにサンプルラインへ引き込むために前記フィルタレセプタクルに接続されるポンプと、
前記ポンプを駆動する信号を供給するために前記フィルタ体の状態を検出するセンサと
を有する、請求項１に記載の装置。
【請求項１２】
前記フィルタ体が、前記フィルタ体から前記フィルタ済ガスサンプルを出力する前記フィルタ体と一体の出口ポートをさらに有し、前記フィルタレセプタクルが、前記フィルタ体が前記フィルタレセプタクルに完全に挿入されるときに前記フィルタ済ガスサンプルを受けるために前記出口ポートと接続可能な管コネクタを有する、請求項１１に記載の装置。
【請求項１３】
前記フィルタレセプタクルの内壁上の第１突起と、前記フィルタ体の側壁上の第２突起とを含むロック機構をさらに有し、前記フィルタレセプタクルへ挿入される前記フィルタ体の回転により前記フィルタ体を前記フィルタレセプタクルにロックするように前記第１突起が前記第２突起と各々係合可能である、請求項１１に記載の装置。
【請求項１４】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記フィルタが前記管コネクタを移動するために前記アクセサリコネクタの前記アクセサリレセプタクルへの挿入により前記フィルタ体内でスライドし、
前記センサが前記管コネクタの移動に応じて前記ポンプを駆動する信号を供給する、
請求項１１に記載の装置。
【請求項１５】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記管コネクタが前記フィルタレセプタクルへの前記フィルタ体の挿入により移動可能であり、
前記センサが前記管コネクタの移動に応じて前記ポンプを駆動する信号を供給する、
請求項１１に記載の装置。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
材料試験装置の操作方法において、試験を、可変試験周波数で材料試料に変動荷重を印加し、前記荷重の印加中に前記試料の温度を測定し、前記測定された温度に基づいて前記試験周波数を変更し、それにより、前記試験中に前記試料が所定の最大温度を超えることを防止することによって行うことを含む材料試験装置の操作方法。
【請求項２】
材料試験装置であって、可変試験周波数で材料試料に変動荷重を印加するアクチュエーターと、前記荷重の印加中に前記試料の温度を測定する手段と、前記測定された温度に基づいて前記試験周波数を変更する手段であって、それにより、前記荷重の印加中に前記試料が所定の最大温度を超えることを防止する手段とを備える、材料試験装置。
【手続補正書】
【提出日】平成27年12月9日(2015.12.9)
【手続補正１】
【補正対象書類名】明細書
【補正対象項目名】００１２
【補正方法】変更
【補正の内容】
【００１２】
当然のことながら、上述の燃料電池システム１０は、本発明の範囲内でさまざまな方法で修正可能である。たとえば結合ダクト６８は、共通の壁を通過する直管ダクトとして示されているが、その代わりに、貯蔵タンク４０および貯蔵タンク６０の底部分に結合し、および、貯蔵タンク４０および貯蔵タンク６０の底部の下に突出するＵ字形のダクトであってもよい。逆止めバルブ７０は、別の代替実施形態では、手動バルブで置き換えてもよい。手動バルブは、最初の設置中は閉められ、電解液１２が流入されると、一旦開放されて水貯蔵タンク６０に適切な液位の水が入り、および、セルスタック２０は定常状態の動作に達する。別の変形形態では、オーバーフロー６４は、過剰な水がその上を通過するシル（ｓｉｌｌ）またはせき（ｗｅｉｒ）で置き換えてもよく、該シルまたはせきは高さが調節可能である。
さらに他の代替形態では、使用済み気流および排気ガス流は混合され、および、単一の熱交換器５０およびその後の液体／ガス分離器５１を通過し、供給パイプ５６のための水流を生成する。
次に、本発明の好ましい態様を示す。
１．  液体電解質燃料電池システムであって、
少なくとも一つの燃料電池を含み、各前記燃料電池は、アノードおよびカソードである対向する電極の間に液体電解質チャンバーを含み、並びに、ガス流を前記電極に隣接するガスチャンバーに供給し、および、前記電極に隣接する前記ガスチャンバーから使用済みガス流を引き出す手段を含み、前記システムは、液体電解質貯蔵タンク、および、前記液体電解質貯蔵タンクおよび各前記液体電解液チャンバーの間で液体電解質を循環させる手段も含み、
前記システムは、前記液体電解質貯蔵タンクに隣接する水貯蔵タンク、並びに、前記使用済みガス流から水蒸気を液化させ、および、前記液化した水蒸気を前記水貯蔵タンクに供給するための手段；オーバーフロー排気口を持つ前記水貯蔵タンク；並びに、前記オーバーフロー排気口の液位未満で前記液体電解質貯蔵タンクと前記水貯蔵タンクとを連通させるダクトを含むシステム。
２．  上記１に記載の液体電解質燃料電池システムにおいて、
前記オーバーフロー排気口の高さは調節可能であるシステム。
３．  上記１または上記２に記載の液体電解質燃料電池システムにおいて、
前記オーバーフロー排気口の高さは、前記電解液貯蔵タンクの電解液が所望の液位になると、前記連通ダクトの液位での圧力が前記電解液貯蔵タンクと前記水貯蔵タンクの両方で同じになるように設定されるシステム。
４．  上記１乃至上記３のいずれか一項に記載の液体電解質燃料電池システムにおいて、  前記連通ダクトは、逆止めバルブを含むシステム。
５．  上記１乃至上記３のいずれか一項に記載の液体電解質燃料電池システムにおいて、  前記連通ダクトは、手動バルブを含むシステム。
６．  上記１乃至上記５のいずれか一項に記載の液体電解質燃料電池システムにおいて、  前記連通ダクトの断面領域は前記連通ダクトを通過する動作中の水の流速によって電解液の逆拡散を防ぐ領域であるシステム。
７．  上記１乃至上記６のいずれか一項に記載の液体電解質燃料電池システムにおいて、  前記水貯蔵タンクは、乱流を抑制する複数のバッフルを含むシステム。
８．  上記１乃至上記７のいずれか一項に記載の液体電解質燃料電池システムにおいて、  前記電極はカソードであるシステム。
９．  上記１乃至上記７のいずれか一項に記載の液体電解質燃料電池システムにおいて、  各ガス流は前記アノードおよび前記カソードに隣接するガスチャンバーに供給され、および、使用済みガス流は前記アノードおよび前記カソードに隣接する前記ガスチャンバーから排出され、および、水蒸気を液化し、前記液化した水蒸気を前記水貯蔵タンクに供給する手段が、各前記使用済みガス流のために設置されるシステム。
１０．  添付図面を参照し、および、添付図面に示される実質的に前述された液体電解質燃料電池システム。
【手続補正２】
【補正対象書類名】特許請求の範囲
【補正対象項目名】全文
【補正方法】変更
【補正の内容】
【特許請求の範囲】
【請求項１】
液体電解質燃料電池システムであって、
少なくとも一つの燃料電池を含み、各前記燃料電池は、アノードおよびカソードである対向する電極の間に液体電解質チャンバーを含み、並びに、ガス流を電極に隣接するガスチャンバーに供給し、および、前記電極に隣接する前記ガスチャンバーから使用済みガス流を引き出す手段を含み、前記システムは、液体電解質貯蔵タンク、並びに、前記液体電解質貯蔵タンク、オーバーフローパイプを備えるヘッダータンク、および各前記液体電解質チャンバーの間で液体電解質を循環させる手段も含み、
前記システムは、水貯蔵タンク、並びに、前記使用済みガス流から水蒸気を液化させ、および、前記液化した水蒸気を前記水貯蔵タンクに供給するための手段を含み；前記水貯蔵タンクはオーバーフロー排気口を持ち；並びに、前記オーバーフロー排気口の液位未満で前記液体電解質貯蔵タンクと前記水貯蔵タンクとを連通させるダクトを含み、前記連通ダクトは逆止めバルブ又は手動バルブを含み；前記水貯蔵タンクは前記液体電解質貯蔵タンクに隣接し、前記電解質貯蔵タンクと共通の壁を共有し、熱が前記共通の壁を通過するときに、前記水貯蔵タンク中の水が使用中に前記電解質貯蔵タンク中の電解質によって温められる、システム。
【請求項２】
請求項１に記載の液体電解質燃料電池システムにおいて、
前記オーバーフロー排気口の高さは調節可能であるシステム。
【請求項３】
請求項１または請求項２に記載の液体電解質燃料電池システムにおいて、
前記オーバーフロー排気口の高さは、前記電解質貯蔵タンクの電解質が所望の液位になると、前記連通ダクトの液位での圧力が前記電解質貯蔵タンクと前記水貯蔵タンクの両方で同じになるように設定されるシステム。
【請求項４】
請求項１乃至請求項３のいずれか一項に記載の液体電解質燃料電池システムにおいて、
前記連通ダクトの断面領域は、前記連通ダクトを通過する動作中の水の流速によって電解質の逆拡散を防ぐ領域であるシステム。
【請求項５】
請求項１乃至請求項４のいずれか一項に記載の液体電解質燃料電池システムにおいて、
前記水貯蔵タンクは、乱流を抑制する複数のバッフルを含むシステム。
【請求項６】
請求項１乃至請求項５のいずれか一項に記載の液体電解質燃料電池システムにおいて、 使用済みガス流は、カソードに隣接するガスチャンバーから引き出されるシステム。
【請求項７】
請求項１乃至請求項６のいずれか一項に記載の液体電解質燃料電池システムにおいて、
各ガス流は前記アノードおよび前記カソードに隣接するガスチャンバーに供給され、および、使用済みガス流は前記アノードおよび前記カソードに隣接する前記ガスチャンバーから排出され、および、水蒸気を液化し、前記液化した水蒸気を前記水貯蔵タンクに供給する手段が、各前記使用済みガス流のために設置されるシステム。
【手続補正書】
【提出日】平成28年1月6日(2016.1.6)
【手続補正１】
【補正対象書類名】明細書
【補正対象項目名】００４９
【補正方法】変更
【補正の内容】
【００４９】
ターゲットとする例示的な産業用途は、ビデオ配信技術（圧縮を含む）及びディスプレイ技術である。ビデオ圧縮及びコンテンツ表現に関する用途にも関心が持たれる。
（付記１）  画像のブロックを符号化する方法であって、当該方法は、処理手段を用いて、
前記画像の一部を符号化し、再構成するステップと、
少なくとも前記ブロックを用いて、前記再構成された部分内の１つの参照ブロックを、該参照ブロックが前記少なくとも１つのブロックと似ているように決定し、且つ前記１つの参照ブロックを参照するベクトルを決定するステップと、
前記１つの参照ブロックを用いて、前記再構成された部分内の少なくとも１つの更なる参照ブロックを、前記１つの参照ブロックが該少なくとも１つの更なる参照ブロックと似ているように決定するステップと、
決定された前記ベクトルと、前記１つの参照ブロックと前記少なくとも１つの更なる参照ブロックとの組み合わせに対する前記ブロックの残余と、を符号化するステップと
を行うことを有する、方法。
（付記２）  前記１つの参照ブロックを決定するために、前記ブロックに隣接した再構成された近傍が更に用いられる、付記１に記載の方法。
（付記３）  前記少なくとも１つの更なる参照ブロックを決定するために、前記１つの参照ブロックに隣接した再構成された近傍が更に用いられる、付記１又は２に記載の方法。
（付記４）  前記１つの参照ブロックと前記少なくとも１つの更なる参照ブロックとの前記組み合わせは、加重線形結合であり、該加重線形結合のための重みは、制約付き最小二乗問題又は非ローカルな平均問題を解くことによって決定される、付記１乃至３の何れか一に記載の方法。
（付記５）  前記加重線形結合のための重みは、前記ブロックに隣接する近傍、前記１つの参照ブロックに隣接する１つの近傍、及び前記少なくとも１つの更なる参照ブロックに隣接する少なくとも１つの更なる近傍から決定される、付記４に記載の方法。
（付記６）  前記加重線形結合のための重みは、前記ブロック、前記１つの参照ブロック、及び前記少なくとも１つの更なる参照ブロックを用いて決定され、該重みは符号化される、付記４に記載の方法。
（付記７）  前記制約付き最小二乗問題は、局所線形組み込み又は非負行列因子分解を用いて解かれる、付記４に記載の方法。
（付記８）  当該方法は更に、前記処理手段を用いて、
少なくとも前記ブロックを用いて、前記再構成された部分内の少なくとも１つの他の参照ブロックを、該少なくとも１つの他の参照ブロックの各々が前記少なくとも１つのブロックと似ているように決定し、且つ前記少なくとも１つの他の参照ブロックを参照する少なくとも１つの他のベクトルを決定するステップと、
前記少なくとも１つの他の参照ブロックを用いて、前記画像の前記再構成された部分内の少なくとも１つの更なる他の参照ブロックを、該少なくとも１つの更なる他の参照ブロックの各々が前記少なくとも１つの他の参照ブロックの１つと似ているように決定するステップと、
前記残余の速度−歪みコスト又は予測誤差より、前記他の参照ブロックの１つと前記少なくとも１つの更なる他の参照ブロックとの更なる加重線形結合に対する前記ブロックの更なる残余の速度−歪みコスト又は予測誤差が、高いことを決定するステップと
を行うことを有する、付記４乃至７の何れか一に記載の方法。
（付記９）  画像のブロックを符号化する装置であって、当該装置は、
前記画像の一部を符号化し、再構成し、
少なくとも前記ブロックを用いて、前記再構成された部分内の１つの参照ブロックを、該参照ブロックが前記少なくとも１つのブロックと似ているように決定し、且つ前記１つの参照ブロックを参照するベクトルを決定し、
前記１つの参照ブロックを用いて、前記再構成された部分内の少なくとも１つの更なる参照ブロックを、前記１つの参照ブロックが該少なくとも１つの更なる参照ブロックと似ているように決定し、
決定された前記ベクトルと、前記１つの参照ブロックと前記少なくとも１つの更なる参照ブロックとの組み合わせに対する前記ブロックの残余と、を符号化する
ように構成された処理手段を有する、装置。
（付記１０）  画像のブロックを再構成する方法であって、当該方法は、処理手段を用いて、
前記画像の一部を復号化するステップと、
前記ブロックの符号化された残余を復号化し、前記再構成された部分内の参照ブロックを参照する符号化されたベクトルを復号化するステップと、
前記参照ブロックを用いて、前記再構成された部分内の少なくとも１つの更なる参照ブロックを決定するステップと、
前記残余を、前記参照ブロックと前記少なくとも１つの更なる参照ブロックとの組み合わせと結合することによって、前記ブロックを再構成するステップと
を行うことを有する、方法。
（付記１１）  前記少なくとも１つの更なる参照ブロックを決定するために、前記参照ブロックに隣接した再構成された近傍が更に用いられる、付記１０に記載の方法。
（付記１２）  前記参照ブロックと前記少なくとも１つの更なる参照ブロックとの前記組み合わせは、加重線形結合であり、該加重線形結合のための重みは、制約付き最小二乗問題又は非ローカルな平均問題を解くことによって、前記ブロックに隣接する近傍、前記参照ブロックに隣接する１つの近傍、及び前記少なくとも１つの更なる参照ブロックに隣接する少なくとも１つの更なる近傍から決定される、付記１０又は１１に記載の方法。
（付記１３）  前記制約付き最小二乗問題は、局所線形組み込み又は非負行列因子分解を用いて解かれる、付記１２に記載の方法。
（付記１４）  前記参照ブロックと前記少なくとも１つの更なる参照ブロックとの前記組み合わせは、加重線形結合であり、当該方法は更に、前記加重線形結合に関する符号化された重みを復号化することを有する、付記１０又は１１に記載の方法。
（付記１５）  画像のブロックを再構成する装置であって、当該装置は、
前記画像の一部を復号化し、
前記ブロックの符号化された残余を復号化し、前記再構成された部分内の参照ブロックを参照する符号化されたベクトルを復号化し、
前記参照ブロック、及び／又は前記参照ブロックに隣接した再構成された近傍、を用いて、前記再構成された部分内の少なくとも１つの更なる参照ブロックを決定し、
前記残余を、前記参照ブロックと前記少なくとも１つの更なる参照ブロックとの組み合わせと結合することによって、前記ブロックを再構成する
ように構成された処理手段を有する、装置。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
管状支持コアを形成する螺旋状に巻かれたリボンであって、前記リボンは、第１縁部及び第２縁部を有し、隣接する第１縁部及び第２縁部は、前記管状支持コアの長さに沿って１つ以上の結合部を含む、リボンを含み、
前記１つ以上の結合部の強度が、前記管状支持コアの前記長さに沿って変化する、物品。
【請求項２】
中空の管状支持コアの長さ上で、大きく伸張した状態で支持されたエラストマースリーブと、
前記管状支持コアを形成する螺旋状に巻かれたリボンであって、前記リボンは第１縁部及び第２縁部を有し、隣接する第１縁部及び第２縁部は、前記管状支持コアの前記長さに沿って１つ以上の結合部を含む、リボンと、を有し、
前記１つ以上の結合部の前記強度が、前記管状支持コアの前記長さに沿って変化する、物品。
【請求項３】
前記結合強度が、前記管状支持コアの前記長さに沿って規則的な反復パターンで変化している、請求項２に記載の物品。
【請求項４】
前記結合強度パターンが、弱い結合部の区分と交互の強い結合部の区分を含む、請求項３に記載の物品。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
メモリにアクセスするための方法であって、
プロセッサによってメモリアクセス要求を開始するステップと、
前記メモリアクセスに対する物理アドレスを指定するステップと、
仮想から物理へのアドレス変換をバイパスするステップと、
前記物理アドレスに基づいて前記プロセッサと前記メモリとの間で構成される1つまたは複数のレベルのキャッシュをトラバースするステップと、
ミスが遭遇される任意の中間キャッシュレベルのキャッシュ状態を変更することなく、前記物理アドレスを使用してヒットが最初に遭遇された前記キャッシュレベルまたはメモリから前記メモリアクセスを実行するステップとを含む、方法。
【請求項２】
前記メモリアクセスがロード要求であり、
前記メモリアクセスを実行するステップが、前記ヒットが最初に遭遇された前記キャッシュレベルまたはメモリから前記プロセッサに直接前記物理アドレスに関連するデータを返すステップを含む、請求項1に記載の方法。
【請求項３】
前記ロード要求がミスに遭遇する前記中間キャッシュレベルにおいて前記データの割当てを回避するステップをさらに含む、請求項2に記載の方法。
【請求項４】
前記物理アドレスに関連するページ属性の参照を回避するステップをさらに含む、請求項1に記載の方法。
【請求項５】
前記メモリアクセスがストア要求であり、
前記メモリアクセスを実行するステップが、前記ヒットが最初に遭遇された前記キャッシュレベルまたはメモリに前記プロセッサから直接前記ストア要求に関連する前記データを書き込むステップを含む、請求項1に記載の方法。
【請求項６】
前記ストア要求がミスに遭遇する任意の中間キャッシュレベルの割当てを回避するステップをさらに含む、請求項5に記載の方法。
【請求項７】
前記ストア要求がライトスルー動作として実行され、それにより、前記物理アドレスが第1のキャッシュレベル内で最初に発見された場合、前記方法が、前記第1のキャッシュレベルと前記メモリとの間に存在する任意のキャッシュレベルに前記データを書き込むステップをさらに含む、請求項5に記載の方法。
【請求項８】
前記物理アドレスが、レジスタファイル内のレジスタに対応する、請求項1に記載の方法。
【請求項９】
ミスが遭遇される前記中間キャッシュレベルのキャッシュ画像が変更されないままである、請求項1に記載の方法。
【請求項１０】
前記キャッシュ画像が、タグアレイ、状態アレイ、取り替えポインタアレイ、またはデータアレイのうちの1つまたは複数を含み、変更されないままの前記キャッシュ画像が、前記タグアレイ、前記状態アレイ、前記取り替えポインタアレイ、または前記データアレイを変えないことを含む、請求項9に記載の方法。
【請求項１１】
レジスタファイルを備えるプロセッサと、
メモリと、
仮想から物理にアドレスを変換するように構成された変換ルックアサイドバッファ(TLB)と、
関連する物理アドレスを指定するメモリアクセス命令が前記プロセッサによって開始されることに応答して、
前記メモリアクセス命令に対する仮想から物理へのアドレス変換をバイパスし、
前記物理アドレスに基づいて前記プロセッサと前記メモリとの間で構成される1つまたは複数のレベルのキャッシュをトラバースし、
ミスが遭遇される任意の中間キャッシュレベルのキャッシュ状態を変更することなく、前記物理アドレスを用いてヒットが最初に遭遇された前記キャッシュレベルまたはメモリから前記メモリアクセスを実行する
ように構成された実行論理部とを備える、処理システム。
【請求項１２】
前記実行論理部が、前記物理アドレスに関連するページ属性の参照を回避するようにさらに構成される、請求項11に記載の処理システム。
【請求項１３】
半導体ダイに組み込まれる、請求項11に記載の処理システム。
【請求項１４】
セットトップボックス、音楽プレーヤ、ビデオプレーヤ、エンターテインメントユニット、ナビゲーションデバイス、通信デバイス、携帯情報端末(PDA)、固定ロケーションデータユニット、およびコンピュータからなる群から選択されたデバイスに組み込まれる、請求項11に記載の処理システム。
【請求項１５】
請求項1から10のいずれか一項に記載の方法をコンピュータまたはプロセッサに実行させるための少なくとも1つの命令を含む、コンピュータプログラム。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
ジェスチャ感知式キーボードでの単一の連続ジェスチャから１又はそれ以上の用語を予測する方法であって、
前記ジェスチャ感知式キーボード上で前記ジェスチャが実行されている時に、前記ジェスチャの位置を複数の時点でサンプリングするステップと、
前記複数のサンプルから、ユーザが前記ジェスチャの実行時に入力しようとした可能性のある前記ジェスチャ感知式キーボード上のターゲットに各々が関連する１又はそれ以上の特徴を生成し、
前記１又はそれ以上の特徴を含む用語プレフィックスツリーを生成し、
前記用語プレフィックスツリー内の、前記１又はそれ以上の特徴を与えられた１又はそれ以上の経路を発見する、
ことにより前記複数のサンプルから１又はそれ以上の用語を予測するステップと、
を含むことを特徴とする方法。
【請求項２】
前記用語プレフィックスツリーは、前記１又はそれ以上の特徴を所与として許可される辞書プレフィックスツリーの用語を保持することにより生成される、
ことを特徴とする請求項１に記載の方法。
【請求項３】
前記ジェスチャ感知式キーボードのターゲットは、アルファベット文字、及び任意にスペース及び／又は句読記号などの単語境界の区切り文字に対応することができ、前記用語プレフィックスツリーは、完成した単語の最後の文字を表す１又はそれ以上のノードを含み、前記用語プレフィックスツリーを生成するステップは、前記最後の文字に対応するノードが単語内に存在する場合、前記プレフィックスツリーに、スペース文字などの単語境界の区切り文字に対応するノードを挿入するステップをさらに含む、
ことを特徴とする請求項１又は２に記載の方法。
【請求項４】
前記１又はそれ以上の用語を予測するステップは、１又はそれ以上の単語を予測するステップを含み、前記１又はそれ以上の単語は、ジェスチャ感知式キーボード上の１又はそれ以上の文字上で、ユーザが前記単語のプレフィックスを示すように意図されたジェスチャを行うことに対応する単一の連続ジェスチャに基づいて予測される、
ことを特徴とする請求項１から３のいずれか一つに記載の方法。
【請求項５】
前記１又はそれ以上の用語を予測するステップは、前記１又はそれ以上の単語を予測するステップを含み、前記１又はそれ以上の単語を予測するステップは、ジェスチャ感知式キーボード上の複数の単語を表す文字上でユーザがジェスチャを行うことに対応する単一の連続ジェスチャに基づいて、一連の２又はそれ上の単語を含む語句を予測するステップを含む、
ことを特徴とする請求項１から３のいずれか１項に記載の方法。
【請求項６】
前記サンプリングは、予め設定した周波数で行われる、
ことを特徴とする請求項１から２８のいずれかに記載の方法。
【請求項７】
前記ジェスチャ感知式キーボード上で単一の連続ジェスチャが実行されている時に、前記ジェスチャの位置を複数の時点でサンプリングするステップと、
前記複数のサンプルから、ユーザが前記ジェスチャの実行時に入力しようとした可能性のある前記ジェスチャ感知式キーボード上のターゲットに各々が関連する１又はそれ以上の特徴を生成し、
前記１又はそれ以上の特徴を含む用語プレフィックスツリーを生成し、
前記用語プレフィックスツリー内の、前記１又はそれ以上の特徴を与えられた１又はそれ以上の経路を発見する、
ことにより前記複数のサンプルから１又はそれ以上の用語を予測するステップと、
を装置に実行させるためのコンピュータプログラム。
【請求項８】
ジェスチャ感知式キーボード上で単一の連続ジェスチャが実行されている時の該ジェスチャの位置に各々が対応する、異なる時点でサンプリングされた複数のサンプルから、前記ジェスチャ感知式キーボードの、ユーザが前記ジェスチャを実行した時に入力しようとした可能性のある複数のターゲットの１つに関連する１又はそれ以上の特徴を生成するように構成された特徴識別手段と、
前記１又はそれ以上の特徴から１又はそれ以上の用語を予測するように構成された予測手段と、
を備え、前記予測手段は、
前記１又はそれ以上の特徴を含む用語プレフィックスツリーを生成するように構成されたプレフィックスツリー生成手段と、
前記用語プレフィックスツリー内の、前記１又はそれ以上の特徴を与えられた１又はそれ以上の経路を発見するように構成された経路発見手段と、
予測子と、
を含む、
ことを特徴とするシステム。
【請求項９】
前記ジェスチャが行われた時に前記ジェスチャ感知式キーボード上の前記ジェスチャの位置を複数の時点でサンプリングするためのサンプリング手段をさらに備え、前記サンプリング手段は、所定の頻度でサンプリングを行うよう構成されている、
ことを特徴とする請求項８に記載のシステム。
【請求項１０】
前記特徴識別手段は、前記ユーザが前記ジェスチャ感知式キーボードのターゲットを通過しようとした可能性のある前記ジェスチャ感知式キーボード上のジェスチャの位置を識別することにより、前記複数のサンプルから１又はそれ以上の特徴を生成するように構成され、前記特徴の位置は、前記ターゲットの最も近くを通ったジェスチャの位置である、
ことを特徴とする請求項８又は９に記載のシステム。
【請求項１１】
前記特徴識別手段は、前記複数のターゲット毎に特徴を識別するように構成される、
ことを特徴とする請求項１０に記載のシステム。
【請求項１２】
前記プレフィックスツリー生成手段は、前記１又はそれ以上の特徴を所与として許可される辞書プレフィックスツリーの用語を保持することにより、前記用語プレフィックスツリーを生成するように構成され、前記辞書プレフィックスツリーの用語は、該用語に特徴が対応しない場合でも保持することができる、
ことを特徴とする請求項８から１１のいずれか１項に記載のシステム。
【請求項１３】
前記複数のターゲットは、アルファベット文字、及び任意にスペースキー及び／又は句読記号などの単語境界の区切り文字に対応し、前記用語プレフィックスツリーは、完成した単語の最後の文字を表す１又はそれ以上のノードを含み、前記プレフィックスツリー生成手段は、前記最後の文字に対応するノードが単語内に存在する場合、前記プレフィックスツリーに、スペース文字などの単語境界の区切り文字に対応するノードを挿入するように構成される、
ことを特徴とする請求項８から１２のいずれか１項に記載のシステム。
【請求項１４】
前記プレフィックスツリー生成手段は、前記スペース文字に対応するノードにおいて、新たな用語プレフィックスツリーを生成するように構成される、
ことを特徴とする請求項１３に記載のシステム。
【請求項１５】
前記予測子は、ジェスチャ感知式キーボード上の１又はそれ以上の文字上で、ユーザが１又はそれ以上の単語のプレフィックスを示すように意図されたジェスチャを行うことに対応する単一の連続ジェスチャに基づいて前記単語を予測するように構成される、
ことを特徴とする請求項８から１４のいずれか１項に記載のシステム。
【請求項１６】
前記予測子は、ジェスチャ感知式キーボード上の複数の単語を表す文字上でユーザがジェスチャを行うことに対応する単一の連続ジェスチャに基づいて、一連の２又はそれ上の単語を含む語句を予測するように構成される、
ことを特徴とする請求項８から１４のいずれか１項に記載のシステム。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
複数の周辺機器に対する電力の供給を制御する装置であって、
前記装置は、前記複数の周辺機器に対して電力を供給するように構成された複数の通信ポートと、プロセッサと、前記周辺機器に対する電力の供給を遮断する手段と、を備え、
前記プロセッサは、前記複数の周辺機器に対する電力を順次供給するように構成された電力供給手段を備え、
前記電力供給手段は、
前記通信ポートのうちの１つで周辺機器を検出するように構成された検出手段と、
前記検出された周辺機器を起動するように構成された起動手段と、を備え、
前記起動手段は、
前記検出された周辺機器のディスクリプタを取得するように構成された取得手段と、
前記取得されたディスクリプタに従って遅延時間を決めるように構成された決定手段と、を備え、
前記プロセッサは、さらに、前記検出された周辺機器に対する電力の供給の開始からの経過時間が前記遅延時間以上となるまでは起動されていない周辺機器に電力が供給されないようにするために、前記遮断する手段を制御するように構成された制御手段を備える、前記装置。
【請求項２】
前記複数の周辺機器の消費プロファイルを記憶する記憶手段をさらに備え、前記決定手段は、記憶された複数のプロファイルの中から、検出された周辺機器に対応するプロファイルをサーチするように構成されたサーチ手段を備える、請求項１に記載の装置。
【請求項３】
前記消費プロファイルは、関連する周辺機器の電流の消費安定化時間および少なくとも１つの識別子を含む、請求項２に記載の装置。
【請求項４】
前記通信ポートは、ユニバーサル・シリアル・バス（ＵＳＢ）規格に準拠したポートである、請求項１〜３のいずれか１項に記載の装置。
【請求項５】
電子装置に接続された複数の周辺機器に対する電力の供給を制御する方法であって、
当該方法は、前記複数の周辺機器の各々に対し、電力を供給するステップを含み、
前記電力を供給するステップは、
前記周辺機器を検出するステップと、
前記検出された周辺機器を起動するステップと、を含み、
前記起動するステップは、
前記検出された周辺機器に電力を供給するステップと、
前記検出された周辺機器のディスクリプタを取得するステップと、
前記取得されたディスクリプタに従って遅延時間を決めるステップと、を含み、
前記電力を供給するステップは、さらに、
前記遅延時間以上となる前記電力を供給するステップの開始からの経過時間を待機するステップ、を含む、前記方法。
【請求項６】
遅延時間を決定するステップは、前記検出された周辺機器の前記取得されたディスクリプタに従って、記憶された消費プロファイルの中から電流の消費安定化時間を含むプロファイルをサーチするステップを含む、請求項５に記載の制御方法。
【請求項７】
前記サーチが成功したときに、前記遅延時間が前記電流の消費安定化時間の値をとる、請求項６に記載の制御方法。
【請求項８】
前記サーチが失敗したときに、前記遅延時間は、デフォルトの遅延値をとる、請求項６に記載の制御方法。
【請求項９】
前記デフォルトの遅延値は、定数値である、請求項８に記載の制御方法。
【請求項１０】
前記デフォルトの遅延値は、前記周辺機器の前記ディスクリプタを用いて受信される、最大電流消費を提供する情報に定数を乗じた積である、請求項８に記載の制御方法。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
第1のワイヤレス通信デバイスを動作させる方法であって、
反復タイムスロット内で少なくとも第2のワイヤレス通信デバイスからサービス品質関連信号を受信するステップであって、前記サービス品質関連信号が既存のピアツーピアリンクに対応するブロードキャスト信号である、受信するステップと、
前記受信されたサービス品質関連信号に基づいて、前記第1のワイヤレス通信デバイスにおいて達成可能なサービス品質を推定するステップと、
前記サービス品質の推定に基づいて、別のデバイスとのピアツーピアリンクを確立するか、または別のデバイスとのピアツーピアリンクを確立しないかを判定するステップと
を含む方法。
【請求項２】
前記サービス品質関連信号が、取得されたサービス品質レベルに関する情報を通信するブロードキャスト信号であり、前記方法が、
前記第1のワイヤレス通信デバイスと別のワイヤレス通信デバイスとの間で確立されたピアツーピアリンクに対応するサービス品質関連信号を送信するステップをさらに含む、請求項1に記載の方法。
【請求項３】
前記第2のワイヤレス通信デバイスからの前記サービス品質関連信号が、前記第2のワイヤレス通信デバイスによって取得された性能レベルを示す性能基準情報を通信する、請求項1に記載の方法。
【請求項４】
前記性能基準情報が、パケットドロップ率、待ち時間、および通信されている特定のデータクラスによって取得されるQoSレベルのうちの少なくとも1つを含む、請求項3に記載の方法。
【請求項５】
前記サービス品質関連信号がピアツーピア接続識別子に対応する、請求項3に記載の方法。
【請求項６】
前記サービス品質関連信号が、データタイプ識別子と関連付けられてさらに送信され、前記方法が、
前記サービス品質関連信号に加えて、対応する接続識別子と関連するデータタイプ識別子とを受信するステップをさらに含む、請求項5に記載の方法。
【請求項７】
前記サービス品質関連信号、対応するピアツーピア接続識別子、および関連するデータタイプ識別子が所定の反復ブロードキャスト伝送スケジュールに従って送信される、請求項6に記載の方法。
【請求項８】
第3のワイヤレス通信デバイスから競合解決信号を受信するステップであって、少なくとも第2のワイヤレス通信デバイスから受信された前記サービス品質関連信号が、QoS情報を通信する競合解決信号である、受信するステップ
をさらに含み、
前記第1のワイヤレス通信デバイスにおいて達成可能な前記サービス品質を推定するステップが、複数の異なるワイヤレス通信デバイスから受信された競合解決信号に基づく、請求項1に記載の方法。
【請求項９】
前記第1のワイヤレス通信デバイスにおいて達成可能な前記サービス品質を推定する前記ステップが、
追加の接続または通信セッションを確立することがチャネル競合にもたらすことになる影響を予測するステップと、
チャネル競合への前記予測される影響に基づいて前記接続または前記通信セッションが確立される場合、前記第1のワイヤレス通信デバイスが取得することになる前記サービス品質を推定するステップと
を含む、請求項8に記載の方法。
【請求項１０】
反復タイムスロット内で少なくとも第2のワイヤレス通信デバイスからサービス品質関連信号を受信するための手段であって、前記サービス品質関連信号が既存のピアツーピアリンクに対応するブロードキャスト信号である、受信するための手段と、
前記受信されたサービス品質関連信号に基づいて、第1のワイヤレス通信デバイスにおいて達成可能なサービス品質を推定するための手段と、
前記サービス品質の推定に基づいて、別のデバイスとのピアツーピアリンクを確立するか否かを判定するための手段と
を含む第1のワイヤレス通信デバイス。
【請求項１１】
前記サービス品質関連信号が、取得されたサービス品質レベルに関する情報を通信するブロードキャスト信号であり、前記第1のワイヤレス通信デバイスが、
前記第1のワイヤレス通信デバイスと別のワイヤレス通信デバイスとの間で確立されたピアツーピアリンクに対応するサービス品質関連信号を送信するための手段
をさらに含む、請求項10に記載の第1のワイヤレス通信デバイス。
【請求項１２】
前記第2のワイヤレス通信デバイスからの前記サービス品質関連信号が、前記第2のワイヤレス通信デバイスによって取得された性能レベルを示す性能基準情報を通信する、請求項10に記載の第1のワイヤレス通信デバイス。
【請求項１３】
第3のワイヤレス通信デバイスから競合解決信号を受信するための手段であって、少なくとも第2のワイヤレス通信デバイスから受信された前記サービス品質関連信号が、QoS情報を通信する競合解決信号である、受信するための手段
をさらに含み、
前記第1のワイヤレス通信デバイスにおいて達成可能な前記サービス品質を推定するための前記手段が、複数の異なるワイヤレス通信デバイスから受信された競合解決信号をその推定の基礎とする、請求項10に記載の第1のワイヤレス通信デバイス。
【請求項１４】
前記第1のワイヤレス通信デバイスにおいて達成可能な前記サービス品質を推定するための前記手段が、
追加の接続または通信セッションを確立することがチャネル競合にもたらすことになる影響を予測するための手段と、
チャネル競合への前記予測される影響に基づいて前記接続または前記通信セッションが確立される場合、第1のワイヤレス通信デバイスが取得することになるサービス品質を推定するための手段と
を含む、請求項13に記載の第1のワイヤレス通信デバイス。
【請求項１５】
実行時に請求項1から9のいずれか一項に記載の方法を少なくとも1つのコンピュータに行わせるための実行可能な命令を含む、コンピュータプログラム。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
1次キャリアと2次キャリアとを備えるデュアル周波数、デュアルセルネットワーク上のワイヤレス通信のために構成されたユーザ機器において動作可能な方法であって、
前記1次キャリアに対応するアクティブセットを維持するステップと、
前記2次キャリアに対応する仮想アクティブセットを維持するステップと、
前記仮想アクティブセットにおける変更に対応する仮想モビリティイベントを備える制御信号を送信するステップと、
前記制御信号に基づいたアンカーキャリアの割当てを受信するステップと、
を含む方法。
【請求項２】
前記アンカーキャリアが、前記1次キャリアおよび前記2次キャリアのうちの少なくとも1つを備える、請求項1に記載の方法。
【請求項３】
前記仮想モビリティイベントが、
前記2次キャリア上のセル強度の測定値に基づいて、前記仮想アクティブセットにセルを追加するように構成された仮想イベント1a、または、
前記仮想モビリティイベントが、前記2次キャリア上のセル強度の測定値に基づいて、前記仮想アクティブセットからセルを除去するように構成された仮想イベント1b、または、
前記仮想モビリティイベントが、前記2次キャリア上のセル強度の測定値に基づいて、前記2次キャリア上でベストセルを変更するように構成された仮想イベント1d
を備える、請求項1または2に記載の方法。
【請求項４】
第1のキャリアと第2のキャリアとを備えるデュアル周波数、デュアルセルネットワーク中のネットワークノードにおいて動作可能な方法であって、
ユーザ機器から、アクティブセットに対応する第1の測定報告を受信するステップと、
前記ユーザ機器から、仮想アクティブセットに対応する第2の測定報告を受信するステップと、
前記第1のキャリアまたは前記第2のキャリアのどちらがより小さいアップリンク不均衡を生じるかについての判断に従って、前記第1のキャリアまたは前記第2のキャリアの一方を前記ユーザ機器のためのアンカーキャリアとして確立するステップと
を含む方法。
【請求項５】
前記ユーザ機器のための前記アンカーキャリアに基づいたアンカーキャリアの割当てを送信するステップをさらに含む、請求項4に記載の方法。
【請求項６】
前記アンカーキャリアが、前記より小さいアップリンク不均衡を生じる、前記第1のキャリアまたは前記第2のキャリアのうちの少なくとも1つを備える、請求項4または5に記載の方法。
【請求項７】
前記第2の測定報告が、
前記第2のキャリアのセル強度の測定値に基づいて、前記仮想アクティブセットにセルを追加するように構成された仮想イベント1aを備える、仮想モビリティイベント、または
前記第2の測定報告が、前記第2のキャリアのセル強度の測定値に基づいて、前記仮想アクティブセットからセルを除去するように構成された仮想イベント1bを備える、仮想モビリティイベント、または
前記第2の測定報告が、前記第2のキャリアのセル強度の測定値に基づいて、前記第2のキャリアでベストセルを変更するように構成された仮想イベント1dを備える、仮想モビリティイベント
を備える、請求項4乃至6の何れか1項に記載の方法。
【請求項８】
1次キャリアと2次キャリアとを備えるデュアル周波数、デュアルセルネットワーク上のワイヤレス通信のために構成された装置であって、
前記1次キャリアに対応するアクティブセットを維持するための手段と、
前記2次キャリアに対応する仮想アクティブセットを維持するための手段と、
前記仮想アクティブセットにおける変更に対応する仮想モビリティイベントを備える制御信号を送信するための手段と、
前記制御信号に基づいたアンカーキャリアの割当てを受信するための手段と、
を備える装置。
【請求項９】
前記アンカーキャリアが、前記1次キャリアおよび前記2次キャリアのうちの少なくとも1つを備える、請求項8に記載の装置。
【請求項１０】
前記仮想モビリティイベントが、
前記2次キャリア上のセル強度の測定値に基づいて、前記仮想アクティブセットにセルを追加するように構成された仮想イベント1a、または
前記仮想モビリティイベントが、前記2次キャリア上のセル強度の測定値に基づいて、前記仮想アクティブセットからセルを除去するように構成された仮想イベント1b、または
前記仮想モビリティイベントが、前記2次キャリア上のセル強度の測定値に基づいて、前記2次キャリア上でベストセルを変更するように構成された仮想イベント1d
を備える、請求項8または9に記載の装置。
【請求項１１】
第1のキャリアと第2のキャリアとを備えるデュアル周波数、デュアルセルネットワークにおいて動作するように構成された装置であって、
ユーザ機器から、アクティブセットに対応する第1の測定報告を受信するための手段と、
前記ユーザ機器から、仮想アクティブセットに対応する第2の測定報告を受信するための手段と、
前記第1のキャリアまたは前記第2のキャリアのどちらがより小さいアップリンク不均衡を生じるかについての判断に従って、前記第1のキャリアまたは前記第2のキャリアの一方を前記ユーザ機器のためのアンカーキャリアとして確立するための手段と
を備える装置。
【請求項１２】
前記ユーザ機器のための前記アンカーキャリアに基づいたアンカーキャリアの割当てを送信するための手段をさらに備える、請求項11に記載の装置。
【請求項１３】
前記アンカーキャリアが、前記より小さいアップリンク不均衡を生じる、前記第1のキャリアまたは前記第2のキャリアのうちの少なくとも1つを備える、請求項11または12に記載の装置。
【請求項１４】
前記第2の測定報告が、前記第2のキャリアのセル強度の測定値に基づいて、前記仮想アクティブセットにセルを追加するように構成された仮想イベント1aを備える、仮想モビリティイベント、または
前記第2の測定報告が、前記第2のキャリアのセル強度の測定値に基づいて、前記仮想アクティブセットからセルを除去するように構成された仮想イベント1bを備える、仮想モビリティイベント、または
前記第2の測定報告が、前記第2のキャリアのセル強度の測定値に基づいて、前記第2のキャリアでベストセルを変更するように構成された仮想イベント1dを備える、仮想モビリティイベント
を備える、請求項11乃至13の何れか1項に記載の装置。
【請求項１５】
請求項1乃至3または4乃至7の何れか1項に記載の方法を実施するためのコードを備える、コンピュータプログラム。